(57)【要約】【課題】作業性を向上させ、容易に組み立てることができる、仮設足場部材を提供する。【解決手段】仮設足場部材は、点検口を有する空洞構造物の底部に取り付けられる仮設足場部材であって、各々が平板状である、複数の足場板と、前記複数の足場板を折り畳み可能になるように連結する、連結機構とを具備する。前記空洞構造物の底部は、鉛直下方ほど水平方向に沿う断面が小さくなるような形状である。前記複数の足場板は、広げられたときに前記底部の断面形状に対応する平板状になり、折畳まれたときに前記点検口を通過可能な大きさになるように、前記連結機構によって連結されている。【選択図】図４
0003157134.tif 000002
【実用新案登録請求の範囲】
【請求項１】
点検口を有する空洞構造物の底部に取り付けられる仮設足場部材であって、
各々が平板状である、複数の足場板と、
前記複数の足場板を折り畳み可能になるように連結する、連結機構と、
を具備し、
前記空洞構造物の底部は、鉛直下方ほど水平方向に沿う断面が小さくなるような形状であり、
前記複数の足場板は、広げられたときに前記底部の断面形状に対応する平板状になり、折畳まれたときに前記点検口を通過可能な大きさになるように、前記連結機構によって連結されている
仮設足場部材。
【請求項２】
請求項１に記載された仮設足場部材であって、
前記底部の形状は、水平方向に沿う断面が円形であるテーパー形状であり、
前記複数の足場板は、広げられたときの形状が円形である
仮設足場部材。
【請求項３】
請求項１又は２に記載された仮設足場部材であって、
前記連結機構は、蝶番を含んでいる
仮設足場部材。
【請求項４】
請求項１乃至３の何れかに記載された仮設足場部材であって、
前記複数の足場板の各々は、木製である
仮設足場部材。
【請求項５】
請求項１乃至３の何れかに記載された仮設足場部材であって、
前記複数の足場板の各々は、アルミ製である
仮設足場部材。
【請求項６】
請求項１乃至５の何れかに記載された仮設足場部材であって、
前記複数の足場板は、前記連結機構により、それぞれが第１方向に沿う複数の折り曲げ線に沿って折り曲げ可能になるように、連結されている
仮設足場部材。
【請求項７】
請求項６に記載された仮設足場部材であって、
前記連結機構は、前記複数の折り曲げ線が山折線及び谷折線を含むように、前記複数の足場板を連結しており、
前記山折線及び前記谷折線は、交互となるように並んでいる
仮設足場部材。
【考案の詳細な説明】
【技術分野】
【０００１】
本考案は、仮設足場部材に関する。
【背景技術】
【０００２】
焼却設備の空気予熱器や、汚泥焼却炉などとして、内部が空洞である構造物（以下、空洞構造物）が用いられる。そのような空洞構造物では、必要に応じて、作業者による内部の点検などが行われる。空洞構造物には、点検時に使用される点検口が設けられる。作業者は、点検口から空洞構造物の内部に入り、作業を行う。ここで、空洞構造物の内部において、作業者の足場を確保する必要がある。そのため、作業者が乗る一時的な足場構造（仮設足場構造）が空洞構造物内に取り付けられることがある。
【０００３】
図１は、仮設足場構造が取り付けられた空洞構造物を示す概略断面図である。また、図２は、仮設足場構造を示す上面図である。図１及び２に示されるように、空洞構造物の内壁１００は、テーパー状となっており、傾斜しているものとする。この仮設足場構造は、ベース金具１０１、短管パイプ１０２、及び足場板１０３を備えている。ベース金具１０１は、内壁１００に取り付けられている。短管パイプ１０２は、足場板１０３を支持するために用いられている。短管パイプ１０２は、水平方向に沿って伸びるように配置され、ベース金具１０１に支持されている。足場板１０３は、短管パイプ１０２上に配置されており、番線１０４によって短管パイプ１０２に固定されている。作業者は、足場板１０３に乗り、点検や補修などの作業を行う。
【０００４】
その他に、仮設足場構造に関して本考案者が知りえた技術として、特許文献１（実公平７−４１７８６号公報）に記載された組立式作業床、特許文献２（実公平７−３０８２４号公報）に記載された仮設用足場構造、特許文献３（特開平２−１８６０６５号公報）に記載された作業座張の設置方法、特許文献４（特開平９−３１７１６６号公報）に記載された内部用足場、特許文献５（特開平９−１５８４６８号公報）に記載されたサイロ内作業用足場、特許文献６（特公平５−４０１０８号）に記載されたボイラ火炉内作業用足場装置、特許文献７（特許第２９１６４０２号公報）に記載されたボイラ火炉点検足場の支持構造体、及び特許文献８（特許第２９２１４２９号公報）に記載された煙突の内筒接続用足場などが挙げられる。
【先行技術文献】
【特許文献】
【０００５】
【特許文献１】実公平７−４１７８６号公報
【特許文献２】実公平７−３０８２４号公報
【特許文献３】特開平２−１８６０６５号公報
【特許文献４】特開平９−３１７１６６号公報
【特許文献５】特開平９−１５８４６８号公報
【特許文献６】特公平５−４０１０８号
【特許文献７】特許第２９１６４０２号公報
【特許文献８】特許第２９２１４２９号公報
【考案の概要】
【考案が解決しようとする課題】
【０００６】
図１及び図２に示した仮設足場構造では、足場板１０３の形状によっては、内壁１００と足場板１０３との間に隙間１０５（図２参照）が生じてしまうことがある。そのため、作業時に、材料や工具などが隙間１０５から落下してしまうことがある。隙間なく足場板１０３を設置するためには、空洞構造物の内部形状に併せて、短管パイプ１０２や足場板１０３の形状を加工する必要がある。従って、仮設足場構造を組み立てるのに、手間がかかる。また、空洞構造物の内壁が傾斜していれば、仮設足場構造を組み立てる際に足元が不安定となり、仮設足場構造を組み立にくい。さらには、足場板１０３の大きさが大きい場合には、空洞構造物の内部に足場板１０３を搬入することが難しくなる。
【０００７】
従って、本考案の目的は、作業性を向上させ、容易に設置することができる、仮設足場部材を提供することにある。
【課題を解決するための手段】
【０００８】
本考案に係る仮設足場部材は、点検口を有する空洞構造物の底部に取り付けられる仮設足場部材である。この仮設足場部材は、各々が平板状である、複数の足場板と、前記複数の足場板を折り畳み可能になるように連結する、連結機構とを具備する。前記空洞構造物の底部は、鉛直下方ほど水平方向に沿う断面が小さくなるような形状である。前記複数の足場板は、広げられたときに前記底部の断面形状に対応する平板状になり、折畳まれたときに前記点検口を通過可能な大きさになるように、前記連結機構によって連結されている。
【０００９】
前記底部の形状が、水平方向に沿う断面が円形であるテーパー形状である場合、前記複数の足場板は、広げられたときの形状が円形である。
【００１０】
前記連結機構は、蝶番を含んでいることが好ましい。
【００１１】
一観点から、前記複数の足場板の各々は、木製であることが好ましい。他の一観点から、前記複数の足場板の各々は、アルミ製であることが好ましい。
【００１２】
前記複数の足場板は、前記連結機構により、それぞれが第１方向に沿う複数の折り曲げ線に沿って折り曲げ可能になるように、連結されていることが好ましい。この場合、前記連結機構は、前記複数の折り曲げ線が山折線及び谷折線を含むように、前記複数の足場板を連結していることが好ましく、前記山折線及び前記谷折線は、交互となるように並んでいることが好ましい。
【考案の効果】
【００１３】
本考案によれば、作業性を向上させ、容易に組み立てることができる、仮設足場部材が提供される。
【図面の簡単な説明】
【００１４】
【図１】仮設足場構造が取り付けられた空洞構造物を示す概略断面図である。
【図２】仮設足場構造を示す上面図である。
【図３】仮設足場部材が取り付けられた空洞構造物を示す概略断面図である。
【図４】広げられたときの仮設足場部材を示す上面図である。
【図５】図４のＡＡ’に沿う断面図である。
【図６】折りたたまれたときの複数の足場板を示す斜視図である。
【図７】空洞構造物に設置された仮設足場部材を示す概略図である。
【考案を実施するための形態】
【００１５】
以下に、図面を参照しつつ、本実施形態に係る仮設足場部材について説明する。図３は、仮設足場部材が取り付けられた空洞構造物１を示す概略断面図である。この空洞構造物１は、焼却炉であるものとする。
【００１６】
空洞構造物１には、点検時に作業者が内部に入るための点検口３が設けられている。
【００１７】
空洞構造物１の底部２は、鉛直下方ほど水平方向に沿う断面が小さくなるような形状である。具体的には、底部２は、すりばち状（水平方向に沿う断面が円形であるテーパー状）に形成されている。底部２においては、空洞構造物１の内壁が傾斜している。
【００１８】
本実施形態に係る仮設足場部材４は、底部２に取り付けられる部材である。作業者は、仮設足場部材４に乗って、点検などの作業を行う。
【００１９】
本実施形態に係る仮設足場部材４は、折り畳み可能な構造を有している。図４は、広げられたときの仮設足場部材４を示す上面図である。また、図５は、図４のＡＡ’に沿う断面図である。
【００２０】
図４及び図５に示されるように、仮設足場部材４は、複数の足場板５（５−１〜５−６）、及び蝶番６（連結機構）を有している。
【００２１】
複数の足場板５の各々は、平板状である。複数の足場板５は、広げられたときに、空洞構造物１の底部２の断面形状に対応する平板形状になるように、構成されている。すなわち、本実施形態では、複数の足場板５は、広げられた場合に、円形になる。各足場板５を構成する材料としては特に限定されない。各足場板５は、例えば、木製、及びアルミ製である。
【００２２】
また、複数の足場板５は、蝶番６によって、複数の折り曲げ線７（７−１〜７−５）に沿って折り曲げ可能になるように、配置されている。図４には、第１方向が定義されている。複数の折り曲げ線７は、いずれも、第１方向に沿って伸びている。すなわち、複数の折り曲げ線７は、互いに平行に延びている。
【００２３】
蝶番６は、複数の折り曲げ線７のそれぞれに沿って設けられている。蝶番６は、隣接する２つの足場板５同士を折り曲げ可能に連結している。ここで、図５に示されるように、蝶番６は、複数の折り曲げ線７のそれぞれが、山折線及び谷折線のいずれかになるように、隣接する足場板５同士を連結している。また、山折線及び谷折線は、交互となるように並んでいる。具体的には、図５に示されるように、足場板５−１と足場板５−２とは、谷折可能に連結されている。足場板５−２と足場板５−３とは、山折可能に連結されている。足場板５−３と足場板５−４とは、谷折可能に連結されている。足場板５−４と足場板５−５とは、山折可能に連結されている。足場板５−５と足場板５−６とは、谷折可能に連結されている。
【００２４】
図６は、折りたたまれたときの複数の足場板５を示す斜視図である。図６に示されるように、複数の足場板５の形状は、折り畳まれたときに、点検口３を通過することが可能な形状である。
【００２５】
次いで、仮設足場部材４の使用方法について説明する。まず、仮設足場部材４が折り曲げられる。そして、図６に示したように、仮設足場部材４が、点検口３を介して、空洞構造物１の内部に搬入される。次いで、図７に示されるように、仮設足場部材４が広げられ、空洞構造物１の底部２に設置される。この際、広げられた仮設足場部材４の形状は、底部２の断面形状に対応する形状である。従って、仮設足場部材４の縁部が空洞構造物１の内壁８と隙間なく当接する。仮設足場部材４は、内壁８によって支持される。その後、作業者は、仮設足場部材４上に乗り、作業を行う。作業後、仮設足場部材４は再び折り畳まれる。そして、点検口３を介して外部に搬出される。
【００２６】
本実施形態に係る仮設足場部材４を用いれば、折り畳み可能であることにより、広げられたときには点検口３を通過できない形状であっても、点検口３から簡単に仮設足場部材４を搬入することができる。また、空洞構造物１内において、仮設足場部材４を広げるだけで、底部２に設置することができる。従って、仮設足場部材４を簡単に底部２に設置することが可能である。また、仮設足場部材４と内壁８との間には、隙間が生じない。そのため、工具などが隙間から落下してしまうことが防止され、作業者が行う点検作業などの作業性を向上することができる。更に、仮設足場部材４は、全周で内壁８に当接し、支持される。そのため、仮設足場部材４の荷重は、内壁８によってバランスよく受けられる。その結果、作業者が仮設足場部材４上に乗ったときに、仮設足場部材４がずれることがない。この観点からも、作業性を向上することが可能である。
【００２７】
尚、本実施形態では、空洞構造物１として、焼却炉を挙げて説明した。但し、空洞構造物１としては、焼却炉に限定されるものではない。底部２において、断面が鉛直下方ほど小さくなるように内壁８が傾斜している構造物であれば、他の構造物であってもよい。例えば、本実施形態に係る仮設足場部材４は、シェルアンドチューブ式の多管式熱交換器である空気予熱器などの、他の空洞構造物１に対して適用することも可能である。
【００２８】
また、本実施形態では、空洞構造物１の底部２の水平方向に沿う断面形状が円形である場合について説明した。但し、その断面形状は必ずしも円形である必要はない。例えば、断面形状が四角形であってもよい。断面形状が四角形である場合には、広げられたときの複数の足場板５の形状が、四角形であればよい。
【００２９】
また、本実施形態では、複数の足場板５の枚数が、６枚である場合について説明した。但し、複数の足場板５の枚数は、特に限定されない。複数の足場板５の大きさが折り畳まれたときに点検口３を通過可能になるような大きさであれば、複数の足場板５の枚数は、５枚以下であってもよいし、７枚以上であってもよい。
【符号の説明】
【００３０】
１  空洞構造物
２  底部
３  点検口
４  仮設足場部材
５（５−１〜５−４）  足場板
６  蝶番（連結機構）
７  折り曲げ線
８  内壁
１００  内壁
１０１  ベース金具
１０２  短管パイプ
１０３  足場板
１０４  番線
１０５  隙間
【図１】
0003157134.tif 000003
【図２】
0003157134.tif 000004
【図３】
0003157134.tif 000005
【図４】
0003157134.tif 000006
【図５】
0003157134.tif 000007
【図６】
0003157134.tif 000008
【図７】
0003157134.tif 000009